(57)【要約】【課題】図柄表示装置における図柄表示部の開放および遮蔽を行なうシャッター装置を小型化する。【解決手段】図柄表示部が臨む本体枠１５の開口部１５ａを挟む左右両側に、レール部材１６，１６が対向して配設される。各レール部材１６に、第１のレール１７，第２のレール１８，第３のレール１９が前後に離間して並列に形成される。各レール１７，１８，１９に沿って、対応する第１の遮蔽板２０，第２の遮蔽板２１，第３の遮蔽板２２が上下に移動する。第３の遮蔽板２２をシャッター作動手段３９で下から上に移動することで、３枚の遮蔽板２０，２１，２２が前後に重なった状態で上方に移動して図柄表示部を開放する。第３の遮蔽板２２をシャッター作動手段３９で上から下に移動することで、各遮蔽板２０，２１，２２の下方への移動が順次規制されて上下に連なって図柄表示部を遮蔽する。【選択図】　図１
2004135885.tif 000002
【特許請求の範囲】
【請求項１】
図柄を変動表示する図柄表示装置の図柄表示部を遮蔽する遊技機のシャッター装置であって、
上下方向に延在する複数のレールが前後に並列に形成されたレール部材と、
前記各レールに沿って上下に移動すると共に該図柄表示部を部分的に遮蔽可能な遮蔽板を備え、複数枚の遮蔽板が上下に連なった状態で前記図柄表示部を遮蔽すると共に、複数枚の遮蔽板が前後方向に重なり合った状態で前記図柄表示部を開放するシャッターと、
前記シャッターで図柄表示部を遮蔽した閉鎖状態時に最上部または最下部に位置する作動用の遮蔽板を上下方向に移動して、該シャッターを前記閉鎖状態と図柄表示部を開放した開放状態とに変化させるシャッター作動手段とから構成したことを特徴とする遊技機のシャッター装置。
【請求項２】
前記各遮蔽板は、その上部に開放用係合片が設けられ、前記シャッター作動手段は閉鎖状態時に最下部に位置する前記作動用の遮蔽板を移動するよう構成され、
前記閉鎖状態におけるシャッターの作動用の遮蔽板を上方に移動することで、下側に位置する遮蔽板の開放用係合片が上側に位置する別の遮蔽板の開放用係合片に順次係合して、複数の遮蔽板が前後に重なり合って上方に移動して前記開放状態となるよう構成される請求項１記載の遊技機のシャッター装置。
【請求項３】
前記図柄表示部より上側のレール部材に、前記遮蔽板と前後に重なり合い得るシャッターカバーが配設され、
前記シャッターカバーの下部および各遮蔽板の下部に、前方または後方に突出する第１閉鎖用係合片が設けられると共に、
前記各遮蔽板の上部に、前記第１閉鎖用係合片とは逆方向に突出する第２閉鎖用係合片が設けられ、
前記開放状態におけるシャッターの各遮蔽板が下方に移動する際に、下側に位置する遮蔽板の第２閉鎖用係合片が上側に位置する別の遮蔽板またはシャッターカバーの第１閉鎖用係合片に係合することで、各遮蔽板の下方への移動が規制されるよう構成されている請求項２記載の遊技機のシャッター装置。
【請求項４】
前記シャッター作動手段は閉鎖状態時に最上部に位置する前記作動用の遮蔽板を移動するよう構成され、
前記各遮蔽板の下部に、前方または後方に突出する第１係合片が設けられると共に、
前記各遮蔽板の上部に、前記第１係合片とは逆方向に突出する第２係合片が設けられ、
前記開放状態におけるシャッターの各遮蔽板が上方に移動する際に、上側に位置する遮蔽板の第１係合片が下側に位置する別の遮蔽板の第２係合片に係合することで、各遮蔽板が上方へ移動されるよう構成されている請求項１記載の遊技機のシャッター装置。
【発明の詳細な説明】
【０００１】
【発明の属する技術分野】
この発明は、図柄表示装置が配設される遊技機において、該図柄表示装置における図柄が変動表示される図柄表示部を必要に応じて遮蔽し得るシャッター装置に関するものである。
【０００２】
【従来の技術】
パチンコ機、スロットマシンあるいはパチンコ式スロットマシン等の遊技機では、遊技中に発生する毎回の始動および停止を含む変動制御条件に基いて図柄組合わせゲームを展開すると共に、特別遊技状態に係る権利とされる図柄組合わせ条件を成立表示することのできる遊技装置として、ドラム式図柄表示装置、ベルト式図柄表示装置、液晶式図柄表示装置等の各種形態の図柄表示装置が好適に採用されている。
【０００３】
前記各図柄表示装置において、図柄組合わせゲームの演出として、図柄を高速・低速で変動させたり、液晶表示装置であればキャラクターを表示させたりと、遊技者の趣向を高める演出が数々行なわれている。また近年は、図柄表示装置の近傍に補助装置を設け、該補助装置での補助演出を行なうパチンコ機も開発されている。そして、補助装置としてシャッター装置を採用し、図柄表示装置における図柄の表示領域を遮蔽板により遮蔽し、図柄を一旦隠すと云う演出を行なうものが提案されている（例えば、特許文献１）。
【０００４】
【特許文献１】
特開２００１−１２９１８５号公報
【０００５】
【発明が解決しようとする課題】
前記シャッター装置では、図柄表示装置における図柄の表示領域を一枚の遮蔽板で遮蔽するよう構成しているため、全ての表示領域を遮蔽し得る仕様とするには、該領域の大きさに見合う寸法の遮蔽板が必要となる。この場合において、近年のパチンコ機は、迫力のある演出を行なうために図柄表示装置が大型化される傾向にあるが、この図柄表示装置の大型化に伴ってその前面を遮蔽する遮蔽板も大型化してしまい、全ての表示領域を開放する際に該遮蔽板を収容するのに大きなスペースが必要となる。しかるに、遊技盤裏面には制御基盤等、数多くの部材が配設されていることから、大型の遮蔽板を収容するための大きな収容スペースを確保するのは困難であり、前述した従来のシャッター装置では図柄表示装置の大型化に充分に対応し得ないのが現状である。すなわち、図柄表示装置の大型化に対応し得る小型化が可能なシャッター装置が望まれている。
【０００６】
【発明の目的】
本発明は、前述した従来の技術に内在している前記課題に鑑み、これを好適に解決するべく提案されたものであって、図柄表示装置の図柄表示部を遮蔽する小型化を図り得る遊技機のシャッター装置を提供することを目的とする。
【０００７】
【課題を解決するための手段】
前述した課題を克服し、所期の目的を好適に達成するため本発明は、
図柄を変動表示する図柄表示装置（Ｋ）の図柄表示部（１４）を遮蔽する遊技機のシャッター装置であって、
上下方向に延在する複数のレール（１７，１８，１９）が前後に並列に形成されたレール部材（１６）と、
前記各レール（１７，１８，１９）に沿って上下に移動すると共に該図柄表示部（１４）を部分的に遮蔽可能な遮蔽板（２０，２１，２２）を備え、複数枚の遮蔽板（２０，２１，２２）が上下に連なった状態で前記図柄表示部（１４）を遮蔽すると共に、複数枚の遮蔽板（２０，２１，２２）が前後方向に重なり合った状態で前記図柄表示部（１４）を開放するシャッター（２３）と、
前記シャッター（２３）で図柄表示部（１４）を遮蔽した閉鎖状態時に最上部または最下部に位置する作動用の遮蔽板（２０，２２）を上下方向に移動して、該シャッター（２３）を前記閉鎖状態と図柄表示部（１４）を開放した開放状態とに変化させるシャッター作動手段（３９）とから構成したことを特徴とする。
【０００８】
また、前記各遮蔽板（２０，２１，２２）は、その上部に開放用係合片（２５）が設けられ、前記シャッター作動手段（３９）は閉鎖状態時に最下部に位置する前記作動用の遮蔽板（２２）を移動するよう構成され、
前記閉鎖状態におけるシャッター（２３）の作動用の遮蔽板（２２）を上方に移動することで、下側に位置する遮蔽板（２１，２２）の開放用係合片（２５）が上側に位置する別の遮蔽板（２０，２１）の開放用係合片（２５）に順次係合して、複数の遮蔽板（２０，２１，２２）が前後に重なり合って上方に移動して前記開放状態となるよう構成することを特徴とする。
【０００９】
更に、前記図柄表示部（１４）より上側のレール部材（１６）に、前記遮蔽板（２０，２１，２２）と前後に重なり合い得るシャッターカバー（２８）が配設され、
前記シャッターカバー（２８）の下部および各遮蔽板（２０，２１，２２）の下部に、前方または後方に突出する第１閉鎖用係合片（２６）が設けられると共に、
前記各遮蔽板（２０，２１，２２）の上部に、前記第１閉鎖用係合片（２６）とは逆方向に突出する第２閉鎖用係合片（２７）が設けられ、
前記開放状態におけるシャッター（２３）の各遮蔽板（２０，２１，２２）が下方に移動する際に、下側に位置する遮蔽板（２１，２２）の第２閉鎖用係合片（２７）が上側に位置する別の遮蔽板（２０，２１）またはシャッターカバー（２８）の第１閉鎖用係合片（２６）に係合することで、各遮蔽板（２０，２１，２２）の下方への移動が規制されるよう構成されていることを特徴とする。
【００１０】
また、前記シャッター作動手段（３９）は閉鎖状態時に最上部に位置する前記作動用の遮蔽板（２２）を移動するよう構成され、
前記各遮蔽板（２０，２１，２２）の下部に、前方または後方に突出する第１係合片（４２）が設けられると共に、
前記各遮蔽板（２０，２１，２２）の上部に、前記第１係合片（４２）とは逆方向に突出する第２係合片（４３）が設けられ、
前記開放状態におけるシャッター（２３）の各遮蔽板（２０，２１，２２）が上方に移動する際に、上側に位置する遮蔽板（２２，２１）の第１係合片（４２）が下側に位置する別の遮蔽板（２１，２０）の第２係合片（４３）に係合することで、各遮蔽板（２０，２１，２２）が上方へ移動されるよう構成されることを特徴とする。
【００１１】
【作用】
複数枚の遮蔽板から構成されるシャッターにおける最上部または最下部の作動用の遮蔽板をシャッター作動手段で上下に移動させることで、シャッターは、複数枚の遮蔽板が上下に連なって図柄表示部を遮蔽する閉鎖状態と、複数枚の遮蔽板が前後方向に重なり合って図柄表示部を開放する開放状態とに変化される。シャッターの開放状態では、複数枚の遮蔽板が前後方向に重なり合うから、その収納スペースは小さくなる。
【００１２】
各遮蔽板の上部に開放用係合片を設けた場合、閉鎖状態時に最下部に位置する作動用の遮蔽板をシャッター作動手段で上方に移動するだけで、各遮蔽板の開放用係合片が順次下方から当接して全ての遮蔽板が前後に重なり合って上方に移動して開放状態となる。また、各遮蔽板の下部および上部に、相互に反対方向に突出する第１および第２閉鎖用係合片を設けると共にシャッターカバーに第１閉鎖用係合片を設けた場合、開放状態における作動用の遮蔽板をシャッター作動手段で下方に移動するだけで、各遮蔽板の第２閉鎖用係合片が上側に位置する別の遮蔽板やシャッターカバーの第１閉鎖用係合片に係合することで、各遮蔽板の下方への移動が規制され、該シャッターは閉鎖状態となる。
【００１３】
閉鎖状態時に最上部に位置する作動用の遮蔽板をシャッター作動手段で移動するよう構成すると共に、前記各遮蔽板の下部および上部に、相互に反対方向に突出する第１係合片および第２係合片を設けた場合、開放状態から作動用の遮蔽板を上方に移動するだけで、各遮蔽板の第１係合片が下側に位置する別の遮蔽板の第２係合片に係合することで、各遮蔽板が順次上方に引上げられて、該シャッターは閉鎖状態となる。
【００１４】
【発明の実施の形態】
次に、本発明に係る遊技機のシャッター装置につき、好適な実施例を挙げて、添付図面を参照しながら以下詳細に説明する。なお、本実施例のシャッター装置は、図柄組合わせ遊技機としてのパチンコ機、スロットマシンあるいはパチンコ式スロットマシン等に好適に実施可能とされるものであるが、実施例では主にパチンコ機を例に挙げて説明することとする。
【００１５】
図１に示す実施例に係るシャッター装置１０が採用されるパチンコ機Ｐの概略構成としては、図２に示す如く、機前側から着脱交換可能に装着セットされた遊技盤Ｊの遊技領域において、アウト口１１が形成される一方、セーフ球検出用のスイッチ（図示せず）を組込んだ始動入賞具１２と、「大当り」の成立時に開成条件が付与される電動入賞装置Ｍおよび図柄表示装置Ｋ等が夫々配設されている。なお電動入賞装置Ｍでは、遊技球用の入賞領域に対する開閉部材が電磁ソレノイドの設定駆動条件に基いて開閉変化されるようになっており、また入賞領域に入ったセーフ球をカウント用スイッチと特別スイッチとにより検出し得、特別スイッチのセーフ球検出に基いて電動入賞装置Ｍ自体の開成作動継続条件が成立可能とされている。
【００１６】
前述のパチンコ機Ｐに実施される、例えば液晶式の図柄表示装置Ｋは、図３に示す如く、遊技盤Ｊの前面側に装着セットされる大型装飾部材Ｌの裏側に整合するように、後述する本体枠１５に配設されて、該装飾部材Ｌに開口された透視窓部１３を介して、該図柄表示装置Ｋの図柄表示部１４が正面側から視認し得るよう構成される。そして、この図柄表示装置Ｋでは、前記始動入賞具１２のスイッチからの始動信号入力条件により、図示しない制御回路装置から発生される制御出力に基いて、図柄表示部１４の図柄が変動・停止されるよう設定される。なお図柄表示装置Ｋでは、前記図柄表示部１４に複数列・複数段、具体的には３列×３段で合計９個の図柄を停止表示するよう構成されている。
【００１７】
【シャッター装置について】
前述のパチンコ機Ｐに実施される実施例に係るシャッター装置１０は、図１または図４に示すように、前記遊技盤Ｊの裏面側に装着セットされる本体枠１５に、前記大型装飾部材Ｌの透視窓部１３と対応する開口部１５ａが形成され、この本体枠１５の裏面側に、前記図柄表示装置Ｋが、その図柄表示部１４を開口部１５ａに臨む状態で着脱可能に配設される。すなわち、図柄表示装置Ｋの図柄表示部１４は、大型装飾部材Ｌの透視窓部１３および本体枠１５の開口部１５ａを介してパチンコ機正面側から視認し得るよう構成される。
【００１８】
前記本体枠１５には、前記図柄表示装置Ｋの図柄表示部１４より前側で、前記開口部１５ａを挟む左右両側に、一対のレール部材１６，１６が対向して配設されており、その対向面には、図９に示すように、上下方向に延在する複数（遮蔽板に応じた本数であり本実施例では３本）の溝状のレール１７，１８，１９が、前後に離間して夫々並列に形成されている。実施例では、前側（パチンコ機Ｐの正面側）から順に、第１のレール１７，第２のレール１８，第３のレール１９と指称し、各レール１７，１８，１９に沿って、対応する第１の遮蔽板２０，第２の遮蔽板２１，第３の遮蔽板２２が上下に移動するよう構成され、これら３枚の遮蔽板２０，２１，２２からなるシャッター２３で、前記図柄表示部１４の遮蔽および開放を行なうよう構成されている。なお、各遮蔽板２０，２１，２２単体では図柄表示部１４の一部を遮蔽するのみとなっており、３枚の遮蔽板２０，２１，２２が上下に連なることにより図柄表示部１４の略全てを遮蔽するようになっているため、各レール１７，１８，１９における上下方向の長さは、シャッター２３で図柄表示部１４の略全てを遮蔽する状態における対応する遮蔽板２０，２１，２２が遮蔽位置まで下方へ移動するのを案内し得る寸法に設定されていれば、図示例のようにその下端部の位置が段状となっていても、あるいは同一長さであってもよい。ちなみに、図９に示す如く、最前部に位置する第１の遮蔽板２０が、図柄表示部１４の上部を遮蔽し、中間部に位置する第２の遮蔽板２１が、図柄表示部１４の中間部を遮蔽し、最後部に位置する第３の遮蔽板２２が、図柄表示部１４の下部を遮蔽するよう設定されている。
【００１９】
前記各遮蔽板２０，２１，２２の構成は同一であるので、第１の遮蔽板２０の構成につき説明し、他の遮蔽板２１，２２の同一部分には同じ符号を付して示すこととする。すなわち、第１の遮蔽板２０は、前記図柄表示装置Ｋにおける図柄表示部１４を部分的に遮蔽可能な寸法に設定された板状本体２４の左右両端に、対応する第１のレール１７，１７に挿入される案内片２４ａ，２４ａが形成され、該案内片２４ａ，２４ａが第１のレール１７，１７に挿入された状態で、該第１の遮蔽板２０は、鉛直姿勢のまま上下に移動するよう構成される（図１０，図１１参照）。また板状本体２４の上端部には、図６に示す如く、左右方向（幅方向）に離間して一対の開放用係合片２５，２５が、後方に向けて突出するよう設けられ、後述するようにシャッター２３を閉鎖状態から開放するときには、下側に位置する遮蔽板が上方に移動する際に、その開放用係合片２５，２５が上側に位置する別の遮蔽板の開放用係合片２５，２５に下方から係合することで、両遮蔽板が前後に重なり合った状態で上方に移動するよう構成されている。
【００２０】
前記板状本体２４の下端部には、図１０に示す如く、前記開放用係合片２５と同じ後方に向けて突出する第１閉鎖用係合片２６が設けられると共に、該板状本体２４の上端部に、前記第１閉鎖用係合片２６とは逆方向の前方に向けて突出する第２閉鎖用係合片２７が設けられている。また、前記図柄表示部１４より上側に臨むレール部材１６，１６間に、前記第１の遮蔽板２０より前方に位置するシャッターカバー２８が配設されており、前記シャッター２３の開放状態（図１０の状態）において、全ての遮蔽板２０，２１，２２がシャッターカバー２８の後方において前後の関係で重なり合うようになっている。そして、このシャッターカバー２８の下端部にも、前記板状本体２４に設けられたと同様の後方に突出する第１閉鎖用係合片２６が設けられている。なお、第１閉鎖用係合片２６は、後側に臨む対応する遮蔽板の板状本体２４と干渉することなく、第２閉鎖用係合片２７にのみ係合可能な突出寸法に設定され、また第２閉鎖用係合片２７は、前側に臨む対応する遮蔽板またはシャッターカバー２８と干渉しない突出寸法に設定されている。すなわち、開放状態におけるシャッター２３の各遮蔽板２０，２１，２２が下方に移動する際には、図１１または図１２に示す如く、後側（下側）に位置する遮蔽板の第２閉鎖用係合片２７が前側（上側）に位置する別の遮蔽板またはシャッターカバー２８の第１閉鎖用係合片２６に上方から係合することで、各遮蔽板の下方への移動が規制されるよう構成されている。
【００２１】
図８および図９に示す如く、前記一対のレール部材１６，１６の下端部間に駆動軸２９が正逆回転可能に架設され、該駆動軸２９における各レール部材１６から外方に延出する各軸端に駆動プーリ３０が夫々一体回転可能に配設されている。また、各レール部材１６の外側にプーリ保持体３１が夫々上下動可能に配設されると共に、該保持体３１の上端部に、駆動軸２９と平行な従動軸３２が正逆回転可能に配設されている。この従動軸３２には、従動プーリ３３が一体回転可能に配設されており、駆動軸２９に配設された各駆動プーリ３０と対応する従動プーリ３３との間に無端ベルト３４が夫々回転可能に巻掛けてある。前記各プーリ保持体３１は、レール部材１６との間に張架された弾性手段としての引張りばね３５（図１，図６に図示）によって、常には上方（駆動軸２９から離間する方向）に向けて付勢され、前記無端ベルト３４が弛まないよう構成される。なお、各プーリ３０，３３および無端ベルト３４としては、歯付きのものが好適に使用される。
【００２２】
前記駆動軸２９に配設された一方の駆動プーリ３０には、対応する側のレール部材１６に配設された駆動手段としての正逆回転可能なモータ３６の出力軸がカップリング３７を介して連結され、該モータ３６を正逆回転することで、前記開口部１５ａを挟む両側に位置する一対の無端ベルト３４，３４が同一方向に回転するよう構成される。
【００２３】
前記一対の無端ベルト３４，３４間に作動板３８が架設され、該作動板３８は最後部（閉鎖状態時に最下部）に位置する前記第３の遮蔽板（作動用の遮蔽板）２２に連繋されて、該第３の遮蔽板２２と作動板３８とが一体で上下方向に移動するよう構成される。すなわち、前記一対の無端ベルト３４，３４を所定方向に回転して作動板３８を上方に移動することで、第３の遮蔽板２２も上方に移動し、このときに前記開放用係合片２５が第２の遮蔽板２１の開放用係合片２５に下方から係合することで、該第２の遮蔽板２１を上方に一体的に押上げ、次に第２の遮蔽板２１の開放用係合片２５が第１の遮蔽板２０の開放用係合片２５に下方から係合することで、該第１の遮蔽板２０も上方に一体的に押上げるよう構成される。そして、全ての遮蔽板２０，２１，２２が前記シャッターカバー２８の後方において前後に重なり合った開放状態となることで、図８に示すように、前記図柄表示部１４の前側を全面的に開放するよう構成される。また一対の無端ベルト３４，３４を逆方向に回転して作動板３８を下方に移動することで、第３の遮蔽板２２も下方に移動し、このときに第１の遮蔽板２０の前記第２閉鎖用係合片２７がシャッターカバー２８の第１閉鎖用係合片２６に上方から係合することで、該第１の遮蔽板２０の下方への移動が規制され、次いで第２の遮蔽板２１の第２閉鎖用係合片２７が第１の遮蔽板２０の第１閉鎖用係合片２６に上方から係合することで、該第２の遮蔽板２１の下方への移動が規制され、更に第３の遮蔽板２２の第２閉鎖用係合片２７が第２の遮蔽板２１の第１閉鎖用係合片２６に上方から係合することで、該第３の遮蔽板２２の下方への移動が規制されるよう構成される。すなわち、シャッター２３は、全ての遮蔽板２０，２１，２２が上下に連なった閉鎖状態となり、このときに、図７に示すように前記図柄表示部１４の前側を全面的に遮蔽するよう構成される。実施例では、モータ３６，該モータ３６で正逆回転される無端ベルト３４，３４および第３の遮蔽板２２に連繋される作動板３８からシャッター作動手段３９が構成されている。
【００２４】
前記シャッター装置１０の本体枠１５には、前記モータ３６の配設側において、前記制御回路装置に接続する開放検出手段４０と閉鎖検出手段４１とが上下に離間して配設されており、両検出手段４０，４１は、前記作動板３８の幅方向の一端（実施例ではモータ側）に形成された検出片３８ａを検出するよう構成される。そして、開放検出手段４０または閉鎖検出手段４１が検出片３８ａを検出したときに、前記制御回路装置が前記モータ３６を停止制御することで、シャッター２３は開放状態または閉鎖状態に保持されるようになっている。なお、各検出手段４０，４１としては、発光素子と受光素子とを離間して対向配置したフォトセンサが好適に使用されるが、磁気センサや機械式のセンサ等、各種の手段を採用し得る。
【００２５】
【実施例の作用】
次に、前述した構成に係る実施例のシャッター装置の作用につき説明する。前記パチンコ機Ｐでは、前記始動入賞具１２のスイッチからの始動信号入力条件により、制御回路装置から発生される制御出力に基いて、前記図柄表示装置Ｋの図柄の変動が開始され、所要の図柄組合わせゲームが展開される。そして、該ゲームの演出に応じて、前記シャッター装置１０が作動制御されて、図柄表示装置Ｋの図柄表示部１４が遮蔽されたり開放される補助演出が行なわれる。
【００２６】
すなわち、図５および図８に示す前記シャッター２３の開放状態において、制御回路装置から発生される閉鎖制御出力に基いて、前記モータ３６が所定方向に回転され、前記一対の無端ベルト３４，３４が所定方向に回転すると、前記作動板３８が下方に移動するのに伴って、第１，第２および第３の遮蔽板２０，２１，２２の夫々の開放用係合片２５，２５，２５が相互に係合した状態で、第１，第２および第３の遮蔽板２０，２１，２２が一体で下方に移動する。そして、先ず第１の遮蔽板２０の第２閉鎖用係合片２７が、図１１に示すように、前記シャッターカバー２８の第１閉鎖用係合片２６に上方から係合することで、該第１の遮蔽板２０の下方への移動が規制され、第１の遮蔽板２０の開放用係合片２５が第２の遮蔽板２１の開放用係合片２５から離間しつつ、以後は第２および第３の遮蔽板２１，２２が一体で下方に移動する。次いで、第２の遮蔽板２１の第２閉鎖用係合片２７が、図１２に示すように、第１の遮蔽板２０の第１閉鎖用係合片２６に上方から係合することで、該第２の遮蔽板２１の下方への移動が規制され、第２の遮蔽板２１の開放用係合片２５が第３の遮蔽板２２の開放用係合片２５から離間しつつ、以後は第３の遮蔽板２２のみが下方に移動する。更に、第３の遮蔽板２２の第２閉鎖用係合片２７が第２の遮蔽板２１の第１閉鎖用係合片２６に上方から係合することで、該第３の遮蔽板２２の下方への移動が規制され、これによりシャッター２３は、全ての遮蔽板２０，２１，２２が上下に連なった図１，図７および図９に示す閉鎖状態となり、前記図柄表示部１４の前側は全体的に遮蔽される。
【００２７】
前記第３の遮蔽板２２の下方への移動が規制されるタイミングで、前記作動板３８の検出片３８ａが閉鎖検出手段４１で検出され、これによって前記制御回路装置がモータ３６を停止制御する。
【００２８】
次に、図１，図７および図９に示す前記シャッター２３の閉鎖状態において、制御回路装置から発生される開放制御出力に基いて、前記モータ３６が前述とは反対方向に回転され、前記一対の無端ベルト３４，３４が同じく前述とは反対方向に回転すると、前記作動板３８が上方に移動するのに伴って、第３の遮蔽板２２が上方に移動する。第３の遮蔽板２２の上方への移動に伴い、該第３の遮蔽板２２が第２の遮蔽板２１の後側に重なりつつ、その開放用係合片２５が第２の遮蔽板２１の開放用係合片２５に下方から係合して押上げられることで、該第２の遮蔽板２１の第２閉鎖用係合片２７が第１の遮蔽板２０の第１閉鎖用係合片２６から上方に離間し、第３の遮蔽板２２と第２の遮蔽板２１とが前後に重なり合った状態で上方に一体的に移動する。次に、第２および第３の遮蔽板２１，２２が第１の遮蔽板２０の後側に重なりつつ、該第２の遮蔽板２１の開放用係合片２５が第１の遮蔽板２０の開放用係合片２５に下方から係合することで、第１の遮蔽板２０の第２閉鎖用係合片２７がシャッターカバー２８の第１閉鎖用係合片２６から上方に離間し、第１，第２および第３の遮蔽板２０，２１，２２が前後に重なり合った状態で上方に一体的に移動する。
【００２９】
そして、前記作動板３８の検出片３８ａが開放検出手段４０で検出され、これによって前記制御回路装置がモータ３６を停止制御することで、全ての遮蔽板２０，２１，２２が前記シャッターカバー２８の後方において前後に重なり合った開放状態に保持され、前記図柄表示部１４の前側は全面的に開放される。この開放状態において、シャッター２３の上下方向の長さは、第１の遮蔽板２０の高さ寸法の範囲に収まるので、該シャッター２３の収納スペースを小さくすることができる。すなわち、前記図柄表示装置Ｋが大型化しても、その図柄表示部１４の大きさに見合う大きさの収納スペースは必要なく、シャッター２３を構成する１枚の遮蔽板を収納し得るスペースがあればよい。
【００３０】
また、実施例のシャッター装置１０は、第３の遮蔽板２２を上下に移動することで、他の第１および第２の遮蔽板２０，２１を上下に移動させ得るよう構成したから、該第３の遮蔽板２２のみを上下方向に移動させるシャッター作動手段３９を設けるだけでよく、シャッター装置１０のコンパクト化が図れる。
【００３１】
【別実施例】
図１３および図１４は、シャッター装置の別実施例を示すものであって、その基本的な構成は前述した実施例と同一であるので、異なる部分についてのみ説明し、同一部材には同じ符号を付して示すこととする。
【００３２】
【第１の別実施例】
前記実施例では、各遮蔽板２０，２１，２２の閉鎖時における下方への移動の規制を、第１および第２閉鎖用係合片２６，２７で行なうよう構成したが、別の手段により移動規制することができる。
【００３３】
すなわち、請求項２に係るシャッター装置において、
複数のレールにおける下端部の位置を、当該レールに沿って上下に移動する遮蔽板による図柄表示部の遮蔽位置に設定し、
前記開放状態におけるシャッターの各遮蔽板が下方に移動する際に、各遮蔽板が対応するレールの下端部に当接することで、各遮蔽板の下方への移動が規制されるよう構成する。なお、各遮蔽板が対応するレールの下端部に当接した状態で、複数枚の遮蔽板が隙間なく上下に連なるように、前記各レールの下端部の位置は設定される。
【００３４】
前述した第１の別実施例に係る構成では、図１３に示すように、各レール部材１６に形成される第１，第２および第３の溝状のレール１７，１８，１９の下端部が、上下方向に離間して段状に形成される。そして、開放状態のシャッター２３における第３の遮蔽板２２がシャッター作動手段３９により下方に移動されると、第１，第２および第３の遮蔽板２０，２１，２２の夫々の開放用係合片２５，２５，２５が相互に係合した状態で、第１，第２および第３の遮蔽板２０，２１，２２が一体で下方に移動する。そして、先ず第１の遮蔽板２０の案内片２４ａ，２４ａが第１のレール１７，１７の下端部に当接して下方への移動が規制され、第１の遮蔽板２０の開放用係合片２５が第２の遮蔽板２１の開放用係合片２５から離間しつつ、以後は第２および第３の遮蔽板２１，２２が一体で下方に移動する。次いで、第２の遮蔽板２１の案内片２４ａ，２４ａが第２のレール１８，１８の下端部に当接して下方への移動が規制され、第２の遮蔽板２１の開放用係合片２５が第３の遮蔽板２２の開放用係合片２５から離間しつつ、以後は第３の遮蔽板２２のみが下方に移動する。更に、第３の遮蔽板２２の案内片２４ａ，２４ａが第３のレール１９，１９の下端部に当接して下方への移動が規制されることでシャッター２３は、全ての遮蔽板２０，２１，２２が上下に連なった閉鎖状態となり、前記図柄表示部１４の前側は全体的に遮蔽される。
【００３５】
そして、最下部に位置する第３の遮蔽板２２をシャッター作動手段３９で上方に移動させるだけで、前述した実施例と同様に各開放用係合片２５の係合作用下に各遮蔽板２０，２１，２２が順次前後に重なった状態で移動して、前記開放状態に復帰する。すなわち、別実施例の場合は、各遮蔽板２０，２１，２２の案内片２４ａ，２４ａが案内される各レール１７，１８，１９の長さを、当該遮蔽板２０，２１，２２が図柄表示部１４を遮蔽する遮蔽位置までに設計するだけで、遮蔽板２０，２１，２２が上から順に閉鎖されることとなる。従って、各遮蔽板２０，２１，２２には開放用係合片２５のみを設けるだけでよく、シャッター２３の構成が簡略化される。また、前記シャッターカバー２８を省略することも可能である。
【００３６】
【第２の別実施例】
前記実施例では遮蔽板を下方から上方に移動することで図柄表示部を開放し、上方から下方に移動することで図柄表示部を遮蔽するよう構成したが、遮蔽板を上方から下方に移動することで図柄表示部を開放し、下方から上方に移動することで図柄表示部を遮蔽する構成を採用し得る。すなわち、図１４に示す如く、第２の別実施例では、前述した実施例とは逆に、最前部に位置する第１の遮蔽板２０が、図柄表示部１４の下部を遮蔽し、中間部に位置する第２の遮蔽板２１が、図柄表示部１４の中間部を遮蔽し、最後部に位置する第３の遮蔽板２２が、図柄表示部１４の上部を遮蔽するよう設定される。また各遮蔽板２０，２１，２２における各板状本体２４の下端部に、前方に向けて突出する第１係合片４２が突設されると共に、該板状本体２４の上端部に、前記第１係合片４２とは逆方向の後方に向けて突出する第２係合片４３が設けられている。そして、第１係合片４２は、前側に臨む対応する遮蔽板の板状本体２４と干渉することなく、第２係合片４３にのみ係合可能な突出寸法に設定され、また第２係合片４３は、後側に臨む対応する遮蔽板と干渉しない突出寸法に設定されている。更に第２の別実施例では、最後部（閉鎖状態時に最上部）に位置する第３の遮蔽板（作動用の遮蔽板）２２が、前記シャッター作動手段３９により上下方向に移動されるよう構成してある。
【００３７】
前記図柄表示部１４より下側に臨むレール部材１６，１６間に、前記第１の遮蔽板２０より前方に位置するカバー部材４４が配設されており、前記シャッター２３の開放状態（図１４（ｂ）の状態）において、全ての遮蔽板２０，２１，２２がカバー部材４４の後方において前後の関係で重なり合うようになっている。そして、このカバー部材４４の下端部に、前記第１および第２の遮蔽板２０，２１の第１係合片４２，４２に係合可能な係止片４４ａが後方に突出するよう設けられ、シャッター２３の開放状態における第１および第２の遮蔽板２０，２１の下方への移動を規制するよう構成される。なお、第２の別実施例においては、図示しないが、シャッター２３の開放状態を検出する開放検出手段４０が下側に配置されると共に、該シャッター２３の閉鎖状態を検出する閉鎖検出手段４１が上方に配置される。
【００３８】
【第２の別実施例の作用】
次に、前述した構成に係る第２の別実施例のシャッター装置の作用につき説明する。図１４（ｂ）に示す開放状態の前記シャッター２３を閉鎖する場合は、前記シャッター作動手段３９が作動されて前記作動板３８が上方に移動するのに伴って、第３の遮蔽板２２が上方に移動する。第３の遮蔽板２２の上方への移動に伴い、その第１係合片４２が第２の遮蔽板２１の第２係合片４３に下方から係合して該第２の遮蔽板２１が引上げられる。更に、第３の遮蔽板２２と一体的に上方に移動される第２の遮蔽板２１の第１係合片４２が、第１の遮蔽板２０の第２係合片４３に下方から係合して該第１の遮蔽板２０が引上げられる。そして、前記閉鎖検出手段４１が前記検出片３８ａを検出した時に、前記シャッター作動手段３９が停止し、シャッター２３は全ての遮蔽板２０，２１，２２が上下に連なった図１４（ａ）に示す閉鎖状態となり、前記図柄表示部１４の前側は全体的に遮蔽される。
【００３９】
図１４（ａ）に示す閉鎖状態の前記シャッター２３を開放する場合は、前記シャッター作動手段３９が作動されて前記作動板３８が下方に移動するのに伴って、第１，第２および第３の遮蔽板２０，２１，２２は、夫々の第１係合片４２と第２係合片４３とが相互に係合した状態で一体的に下方に移動する。そして、先ず第１の遮蔽板２０の第１係合片４２が、前記カバー部材４４の係止片４４ａに上方から係合することで、該第１の遮蔽板２０の下方への移動が規制され、第２の遮蔽板２１の第１係合片４２が第１の遮蔽板２０の第２係合片４３から離間しつつ、以後は第２および第３の遮蔽板２１，２２が一体で下方に移動する。次いで、第２の遮蔽板２１の第１係合片４２が、前記カバー部材４４の係止片４４ａに上方から係合することで、該第２の遮蔽板２１の下方への移動が規制され、第３の遮蔽板２２の第１係合片４２が第２の遮蔽板２１の第２係合片４３から離間しつつ、以後は第３の遮蔽板２２のみが下方に移動する。そして、前記開放検出手段４０が前記検出片３８ａを検出した時に、前記シャッター作動手段３９が停止し、シャッター２２は全ての遮蔽板２０，２１，２２がカバー部材４４の後方において前後の関係で重なった図１４（ｂ）に示す開放状態となり、前記図柄表示部１４の前側は全体的に開放される。
【００４０】
第２の別実施例においても、開放状態におけるシャッター２３の収納スペースを小さくすることができ、シャッター装置１０のコンパクト化を図り得る。また第１係合片４２と第２係合片４３とは、シャッター２３の開放用および閉鎖用を兼用するから、遮蔽板の構成を簡略化して製造コストを低廉に抑えることができる。
【００４１】
【変更例】
本願は前述した実施例や別実施例の構成に限定されるものでなく、その他の構成を適宜に採用することができる。
１．　シャッターを構成する遮蔽板の数は、実施例（別実施例）の３枚に限定されるものでなく、図柄表示部の大きさに応じて２枚あるいは４枚以上に設定してもよい。なお、この場合レールの本数も遮蔽板の枚数に応じて変更される。
２．　実施例（別実施例）では、シャッターを閉鎖状態と開放状態との２つの状態でのみ停止保持するよう構成したが、図柄表示装置のゲーム性に併せて、図柄表示部を部分的に閉鎖または開放する状態で停止保持するようモータを制御することで、演出態様に変化をもたせ、更に遊技性や娯楽性を向上させることができる。
３．　遮蔽板に設けられる開放用係合片、第１閉鎖用係合片および第２閉鎖用係合片の突出方向は、実施例（別実施例）とは逆であってもよく、シャッターを開放する際に上下に位置する開放用係合片が相互に係合し、また閉鎖する際に上下に位置する第１閉鎖用係合片と第２閉鎖用係合片とが相互に係合し得る関係となっていればよい。また、第１係合片と第２係合片の突出方向に関しても、相互に係合し得る関係となっていれば逆であってもよい。
４．　シャッター作動手段は、実施例（別実施例）のようなプーリと無端ベルトとの組合わせの機構に限定されるものでなく、スプロケット（回転体）と無端チェン（索体）との組合わせ等、最上部または最下部の遮蔽板を上下に移動させるものであれば、その他の機構を適宜に採用し得る。例えば、モータにより回転されるリールに索体の一端を連結すると共に、該索体の他端を作動用の遮蔽板に連結し、リールに索体を巻いたり繰り出すことで該遮蔽板を上下方向に移動させる構成を採用し得る。
５．　実施例（別実施例）ではレール部材に形成されるレールが、レール溝の場合で説明したが突条のレールであってもよく、この突条レールに沿って各遮蔽板が移動するよう構成されていればよい。
６．　遊技機に採用される図柄表示装置は、液晶式に限らずベルト式やドラム式等の各種の図柄表示装置を採用し得る。
【００４２】
【発明の効果】
以上説明した如く、本発明の請求項１に係る遊技機のシャッター装置によれば、図柄表示部を遮蔽するシャッターを複数枚の遮蔽板で構成し、これら複数枚の遮蔽板を前後方向に重なり合わせることで該図柄表示部を開放するようにしたから、シャッターの収納スペースを小さくすることができ、図柄表示装置の大型化に対応し得る。また、閉鎖状態時に最上部または最下部に位置する作動用の遮蔽板をシャッター作動手段で上下方向に移動することで、シャッターを図柄表示部の閉鎖状態と開放状態とに変化させ得るので、複数のシャッター作動手段を必要とせず、装置全体をコンパクト化できる。
【００４３】
請求項２に係るシャッター装置によれば、各遮蔽板に開放用係合片を設け、閉鎖状態時に最下部に位置する作動用の遮蔽板を上方に移動することで、上下の開放用係合片が相互に係合して遮蔽板が前後に重なり合った状態で上方に移動して、前記図柄表示部を開放するよう構成したから、作動用の遮蔽板を移動させるためのシャッター作動手段のみを設ければ開放状態とすることができ、構成を簡略化し得る。
【００４４】
請求項３に係るシャッター装置によれば、上側に位置するシャッターカバーや遮蔽板に設けた第１閉鎖用係合片に係合して下方への移動が規制される第２閉鎖用係合片を各遮蔽板に設けたから、最下部の作動用の遮蔽板を下方へ移動させるだけで、シャッターを図柄表示部の閉鎖状態とし得る。すなわち、前記作動用の遮蔽板を移動させるためのシャッター作動手段のみを設ければよく、機構を簡略化し得る。
【００４５】
請求項４に係るシャッター装置によれば、閉鎖状態時に最上部に位置する作動用の遮蔽板をシャッター作動手段で移動すると共に、前記各遮蔽板の下部および上部に、相互に反対方向に突出する第１係合片および第２係合片を設けるよう構成したから、作動用の遮蔽板を上下方向に移動するだけで、各遮蔽板の第１係合片と第２係合片との係合作用下に、シャッターを開放状態と閉鎖状態とに変化させ得る。すなわち、第１係合片と第２係合片とは、シャッターの開放用および閉鎖用を兼用するから、遮蔽板の構成を簡略化して製造コストを低廉に抑えることができる。
【図面の簡単な説明】
【図１】本発明の実施例に係るシャッター装置をシャッターの閉鎖状態で示す概略斜視図である。
【図２】実施例に係るシャッター装置が実施されるパチンコ機を示す正面図である。
【図３】実施例に係る大型装飾部材、遊技盤、シャッター装置および図柄表示装置を分解状態で示す側面図である。
【図４】実施例に係るシャッター装置を装着した遊技盤の背面図である。
【図５】実施例に係るシャッター装置をシャッターの開放状態で示す概略斜視図である。
【図６】実施例に係るシャッター装置の分解斜視図である。
【図７】実施例に係るシャッター装置をシャッターの閉鎖状態で示す正面図である。
【図８】実施例に係るシャッター装置をシャッターの開放状態で示す正面図である。
【図９】実施例に係るシャッター装置をシャッターの閉鎖状態で示す縦断側面図である。
【図１０】実施例に係るシャッター装置をシャッターの開放状態で示す要部縦断側面図である。
【図１１】実施例に係るシャッター装置をシャッターの開放または閉鎖の途中状態で示す要部縦断側面図である。
【図１２】実施例に係るシャッター装置をシャッターの開放または閉鎖の別の途中状態で示す要部縦断側面図である。
【図１３】第１の別実施例に係るシャッター装置をシャッターの閉鎖状態で示す要部縦断側面図である。
【図１４】第２の別実施例に係るシャッター装置を示す要部縦断側面図であって、（ａ）はシャッターの閉鎖状態を示し、（ｂ）はシャッターの開放状態を示す。
【符号の説明】
１４　図柄表示部
１６　レール部材
１７　第１のレール
１８　第２のレール
１９　第３のレール
２０　第１の遮蔽板
２１　第２の遮蔽板
２２　第３の遮蔽板
２３　シャッター
２５　開放用係合片
２６　第１閉鎖用係合片
２７　第２閉鎖用係合片
２８　シャッターカバー
３９　シャッター作動手段
４２　第１係合片
４３　第２係合片
Ｋ　図柄表示装置
【図１】
2004135885.tif 000003
【図２】
2004135885.tif 000004
【図３】
2004135885.tif 000005
【図４】
2004135885.tif 000006
【図５】
2004135885.tif 000007
【図６】
2004135885.tif 000008
【図７】
2004135885.tif 000009
【図８】
2004135885.tif 000010
【図９】
2004135885.tif 000011
【図１０】
2004135885.tif 000012
【図１１】
2004135885.tif 000013
【図１２】
2004135885.tif 000014
【図１３】
2004135885.tif 000015
【図１４】
2004135885.tif 000016